(57)【要約】【課題】被搬送物を所定の温度範囲に保つとともに、温度変化を管理すること。【解決手段】被運搬物Ｐを収容する断熱材製の断熱容器１１０、及び、被運搬物Ｐの温度管理を行う温度管理装置１２０を収容する筺体１０１と、断熱容器１１０内の温度を管理する温度管理部１２０と、断熱容器１１０内の温度を測定する温度測定器１２２と、温度測定器１２２からの温度情報を記録する記録部１２３と、筺体１０１の位置情報を検出する位置測定部１２４と、温度情報、前記位置情報及び時間情報を含む温度管理情報Ｋを所定のタイミング送信する送信部１２５とを備えている。【選択図】図２
2011255942.tif 000002
【特許請求の範囲】
【請求項１】
被運搬物を収容する断熱材製の断熱容器、及び、前記被運搬物の温度管理を行う温度管理装置を収容する筺体と、
前記断熱容器内の温度を測定する温度測定器と、
この温度測定器からの温度情報を記録する記録部と、
前記筺体の位置情報を検出する位置測定部と、
少なくとも前記温度情報、前記位置情報及び時間情報を含む温度管理情報を所定のタイミング送信する送信部とを備えていることを特徴とする温度管理運搬容器。
【請求項２】
請求項１に記載された温度管理運搬容器と、
前記送信部からの温度管理情報を受信する受信部と、
前記温度管理情報を表示する表示部とを備えていることを特徴とする温度管理運搬容器移動追跡装置。
【発明の詳細な説明】
【技術分野】
【０００１】
本発明は、厳密な温度管理下で被運搬物を運搬する温度管理運搬容器及びこの温度管理運搬容器を運搬に際し、遠隔管理を行う温度管理運搬容器移動追跡装置に関する。
【背景技術】
【０００２】
医薬品や血液・臓器等の検体や生鮮食品等のように温度管理が必要な被運搬物を搬送する容器として、各種の保温保冷容器が知られている（例えば、特許文献１〜３参照）。このような保温保冷容器では、出発地から断熱容器内に被運搬物と保温材・保冷材とを収容し、目的地まで一定の温度範囲を保ったままで輸送するものである。一定温度範囲を逸脱しなければ、被運搬物の品質は保持される。
【先行技術文献】
【特許文献】
【０００３】
【特許文献１】特開２００４−５９０６７号公報
【特許文献２】特開２００１−２０１２２３号公報
【特許文献３】特開平１１−２０８６４号公報
【発明の概要】
【発明が解決しようとする課題】
【０００４】
上述した保温保冷容器では、次のような問題があった。すなわち、輸送中に何らかの理由、例えば保温容器の破損や不適当な搬送方法（周囲の温度が被運搬物の温度と著しく異なるような温度環境下に長時間にわたり晒される等）が要因で、一時的に所定温度範囲から逸脱することがあった。所定の温度から逸脱すると、使用目的、例えば輸血や移植等に適さなくなる虞がある。しかしながら、目的地において保温保冷容器内の温度が所定温度範囲であると、特に問題とはされず、そのまま輸血などに使われる虞があった。
【０００５】
そこで本発明は、被搬送物を所定の温度範囲に保つとともに、温度変化を管理することができる温度管理運搬容器、及びこの温度管理運搬容器の遠隔管理を行う温度管理運搬容器移動追跡装置を提供することを目的としている。
【課題を解決するための手段】
【０００６】
前記課題を解決し目的を達成するために、本発明の温度管理運搬容器及び温度管理運搬容器移動追跡装置は次のように構成されている。
【０００７】
（１）被運搬物を収容する断熱材製の断熱容器、及び、前記被運搬物の温度管理を行う温度管理装置を収容する筺体と、前記断熱容器内の温度を測定する温度測定器と、この温度測定器からの温度情報を記録する記録部と、前記筺体の位置情報を検出する位置測定部と、少なくとも前記温度情報、前記位置情報及び時間情報を含む温度管理情報を所定のタイミング送信する送信部とを備えていることを特徴とする。
【０００８】
（２）（１）に記載された温度管理運搬容器と、前記送信部からの温度管理情報を受信する受信部と、前記温度管理情報を表示する表示部とを備えていることを特徴とする。
【発明の効果】
【０００９】
本発明によれば、被搬送物を所定の温度範囲に保つとともに、温度変化を管理することが可能となる。
【図面の簡単な説明】
【００１０】
【図１】本発明の一実施の形態に係る温度管理運搬容器移動追跡装置の構成を示す説明図。
【図２】同温度管理運搬容器移動追跡装置に組み込まれた温度管理運搬容器を模式的に示す断面図。
【図３】同温度管理運搬容器移動追跡装置における温度管理情報の一例を示す説明図。
【図４】同温度管理運搬容器移動追跡装置における温度管理情報の一例を示す説明図。
【発明を実施するための形態】
【００１１】
図１は、本発明の一実施の形態に係る温度管理運搬容器移動追跡装置１０の構成を示す説明図、図２は、温度管理運搬容器移動追跡装置１０に組み込まれた温度管理運搬容器１００を模式的に示す断面図である。また、これらの図中Ｐは温度管理が必要な被運搬物を示している。なお、本実施の形態においては、病院（拠点）から検査会社（拠点）へ検体等の被運搬物Ｐを運搬する例を示している。
【００１２】
温度管理運搬容器移動追跡装置１０は、電話回線やインターネット等の通信回線２０と、この通信回線２０に接続されたサーバ３０と、通信回線２０に接続されたユーザが用いるクライアント端末４０と、通信回線２０に接続された複数の基地局５０と、温度管理運搬装置１００とを備えている。
【００１３】
サーバ３０は、後述するように温度管理運搬装置１００からの温度管理情報を受信し、所定の処理を行った上でクライアント端末４０に送信する機能を有している。
【００１４】
クライアント端末４０は、所定のＩＤ／パスワードを入力することで、サーバ３０からの温度管理情報を受け取ることができる。また、温度管理情報を表示する表示部４１を備えている。クライアント端末４０は、検査会社や運搬を行っている作業者等が所持している。
【００１５】
基地局５０は、例えばＰＨＳ等の無線通信手段の基地局であり、温度管理運搬装置１００からの温度管理情報を含む信号を受信する。
【００１６】
温度管理運搬装置１００は、筺体１０１を備えている。筐体１０１内には、医薬品や検体等の被運搬物Ｐを収容する断熱容器１１０と、被運搬物Ｐの温度管理を行う温度管理装置１２０と、リチウム電池等の電源供給部１３０とが設けられている。
【００１７】
断熱容器１１０は、発泡スチロール（断熱材）等の容器本体１１１と、ヒータ等の温度調整部１１２とを備えている。容器本体１１１内には被運搬物Ｐを収容するスペースが設けられている。温度調整部１１２としては例えばカーボン製ヒータが用いられており、例えば温度が所定温度範囲から低下した場合には、後述する温度管理部１２１からの信号によりヒータをＯＮとする。
【００１８】
温度管理装置１２０は、断熱容器１１０内の温度Ｔｍを管理する温度管理部１２１と、断熱容器１１０内の温度Ｔｍを測定する温度測定器１２２と、この温度測定器１２２からの温度情報を記録する記録部１２３と、筺体１０１の位置情報を検出するＧＰＳ等の位置測定部１２４と、固有の端末ＩＤ、温度情報、位置情報及び時間情報を含む温度管理情報Ｋを所定のタイミングで送信する送信部１２５と、送信部１２５に接続された内蔵アンテナ１２６を備えている。温度管理装置１２０は電源供給部１３０により電源の供給を受けている。また、固有の端末ＩＤとは送信部１２５毎に付けられた番号である。
【００１９】
なお、温度管理部１２１では、被運搬物Ｐ毎に定められた適正な温度範囲を記憶しており、温度測定器１２２からの温度情報が適正な温度範囲を逸脱している場合には、アラーム（警告音や発光素子の点滅）により作業者に知らせるとともに、所定の温度警告情報を付加して送信部１２５に入力する。
【００２０】
このように構成された温度管理運搬容器移動追跡装置１０では、次のようにして温度管理運搬容器１００の温度管理及び運搬を行う。すなわち、病院等の出発点にて被搬送物Ｐを容器本体１１１内に収納する。この時、温度測定器１２２を容器本体１１１内部に取り付ける。また、充電済みの電源供給部１３０を収納する。
【００２１】
次に、容器本体１１１内の温度管理部１１２を起動する。これにより、容器本体１１１内の温度測定、筐体１０１の位置測定部１２４により位置測定が開始される。また、所定のタイミング（例えば１分毎）に送信部１２５から端末ＩＤ、時間情報、温度警告情報とともに温度管理情報Ｋが送信されるとともに、記録部１２３により各種情報の記録が行われる。温度管理情報Ｋが送信されると、基地局５０及び通信回線２０を介して温度管理情報Ｋがサーバ３０で受信される。サーバ３０で受信された温度管理情報Ｋは順次処理が行われていく。また、所定の温度範囲を逸脱している場合には、温度管理部１２１により作業者にアラームで告知するとともに、温度管理部１２１からの信号によりヒータをＯＮとする等、温度調整が行われる。
【００２２】
この状態で、車両等により温度管理運搬容器１００の運搬を開始する。運搬が開始されると送信部１２５から所定のタイミングで温度管理情報Ｋが送信されるため、サーバ３０では順次受信される。
【００２３】
一方、クライアント端末４０では、所定のログインを行うことでサーバ３０にアクセスを行うことにより、各種のデータを表示部４１に表示させる。図３は、このようなデータ表示の一例を示している。
【００２４】
図３に示すように、固有の端末ＩＤ、温度情報、時間情報、位置情報が表形式で表示される。また、所定の温度範囲を逸脱している場合には、温度警告情報に基づいて、低温の場合には青（Ｂ）、高温の場合には赤（Ｒ）となるように、表示される。
【００２５】
一方、表示形式に代えて、図４に示すように、グラフとして示すこともできる。すなわち、温度測定器１２２により計測された温度Ｔｍ、電源供給部１３０の消費電力Ｇ及び環境温度Ｔａを時間経過とともに表示することができる。この例においては、適正温度を３５℃とし、３４℃で温度調整部１１２をＯＮ、３６℃で温度調整部１１２をＯＦＦとする制御を行う。このグラフからわかるように環境温度Ｔａが変化しても温度Ｔｍは３４〜３６℃の範囲に維持される。
【００２６】
上述したように、本実施の形態に係る温度管理運搬容器移動追跡装置１０によれば、温度管理運搬容器１００により被搬送物Ｐを所定の温度範囲に保つとともに、遠隔地からも温度情報、位置情報、時間情報、温度警告情報を調べることができる。したがって、検体等の被搬送物Ｐの温度管理を厳密・適正に行うことができ、被運搬物Ｐの品質を保持することができる。
【００２７】
なお、本発明は前記実施の形態に限定されるものではなく、本発明の要旨を逸脱しない範囲で種々変形実施可能であるのは勿論である。
【産業上の利用可能性】
【００２８】
被搬送物を所定の温度範囲に保つとともに、温度変化を管理することができる温度管理運搬容器、及びこの温度管理運搬容器の遠隔管理を行う温度管理運搬容器移動追跡装置を提供できる。
【符号の説明】
【００２９】
１０…温度管理運搬容器移動追跡装置、２０…通信回線、３０…サーバ、４０…クライアント端末、５０…基地局、１００…温度管理運搬装置、１０１…筺体、１１０…断熱容器、１１１…容器本体、１１２…温度調整部、１２０…温度管理装置、１２１…温度管理部、１２２…温度測定器、１２３…記録部、１２４…位置測定部、１２５…送信部、１２６…内蔵アンテナ、１３０…電源供給部。
【図１】
2011255942.tif 000003
【図２】
2011255942.tif 000004
【図３】
2011255942.tif 000005
【図４】
2011255942.tif 000006